(57)【要約】【課題】昇降路内に収納された巻上機と主制御装置とを含む点検作業を行う場合にも、簡単に安全かつ確実な点検作業が実施できるように照明する。【解決手段】昇降路Ａ内に乗りかご１を昇降させるための巻上機２２と主制御装置２０を収納したエレベータ装置において、点検作業の開始の指示を入力するためのかご上点検スイッチ１０（かご内点検スイッチ１５）と、巻上機２２（あるいは主制御装置２０）の近傍に設置された点検用の巻上機点検用照明装置２３と、巻上機点検用照明装置２３を点灯させる指示を入力するための巻上機点検用照明スイッチ１２と、かご上点検スイッチ１０（かご内点検スイッチ１５）により指示が入力され、かつ巻上機点検用照明スイッチ１２により点灯が指示された場合に巻上機点検用照明装置２３を点灯させる制御回路が設けられた主制御装置２０とを設ける。【選択図】図１
2006264821.tif 000002
【特許請求の範囲】
【請求項１】
昇降路内に乗りかごを昇降させるための巻上機と主制御装置を収納したエレベータ装置において、
点検作業の開始の指示を入力するための点検スイッチと、
前記巻上機あるいは前記主制御装置の近傍に設置された点検用の照明装置と、
前記照明装置を点灯させる指示を入力するための照明スイッチと、
前記点検スイッチにより指示が入力され、かつ前記照明スイッチにより点灯が指示された場合に、前記照明装置を点灯させる照明制御手段と
を具備したことを特徴とするエレベータ装置。
【請求項２】
前記点検スイッチは、少なくとも前記乗りかご上に設けられることを特徴とする請求項１記載のエレベータ装置。
【請求項３】
昇降路内に乗りかごを昇降させるための巻上機と主制御装置を収納したエレベータ装置において、
点検作業の開始の指示を入力するための点検スイッチと、
前記乗りかご上に設けられた第１照明装置と、
前記巻上機あるいは前記主制御装置の近傍に設置された点検用の第２照明装置と、
前記点検スイッチにより指示が入力された場合に、前記第１照明装置を点灯させる第１照明制御手段と、
前記乗りかごの位置が前記主制御装置または前記巻上機に対する点検作業をするための所定位置に到達したことを検出する位置検出手段と、
前記点検スイッチにより指示が入力され、かつ前記位置検出手段により前記乗りかごが所定位置に到達したことが検出された場合に、前記第２照明装置を点灯させる第２照明制御手段と
を具備したことを特徴とするエレベータ装置。
【請求項４】
前記第１照明装置と前記第２照明装置に対する主電源からの電源供給が遮断された場合に、前記主電源に代わり電源供給する照明装置非常用電源と、
前記照明装置非常用電源に対して充電を行う充電回路と
を具備したことを特徴とする請求項３記載のエレベータ装置。
【請求項５】
昇降路内に乗りかごを昇降させるための巻上機と主制御装置を収納したエレベータ装置の照明制御方法において、
点検作業の開始の指示を入力するための点検スイッチと、前記巻上機あるいは前記主制御装置の近傍に設置された点検用の第１照明装置と、前記乗りかご上に設けられた第２照明装置とを設け、
前記点検スイッチにより指示が入力された場合に、前記第２照明装置を点灯させ、
前記点検スイッチにより指示が入力され、かつ前記乗りかごが前記主制御装置または前記巻上機に対する点検作業をするための所定位置に到達したことが検出された場合に、前記第１照明装置を点灯させることを特徴とするエレベータ装置の照明装置制御方法。
【発明の詳細な説明】
【技術分野】
【０００１】
本発明は、かご上作業のための照明装置を備えたエレベータ装置に関する。
【背景技術】
【０００２】
通常、エレベータ装置では、安全の確保と円滑な運転を維持するため、一定期間運転した後に、各機器の動作や部品の摩耗状態を点検し必要に応じて調整や、交換等を行う点検作業を実施している。昇降路内の保守作業は、作業者が乗りかご上に乗って保守用操作器を用いて、乗りかごを移動させながら行なわれる。
【０００３】
従来では、昇降路内の乗りかご上で作業を行うために、乗りかご上を照明するための照明装置が設けられている。例えば、乗りかご上に作業者が乗り込む時などに、つまづき転倒することがないように、作業灯を乗りかご上に固定的に設け、作業者が乗りかご上に乗ることにより荷重検出器を作動させ、この検知により作業灯を点灯させることができるエレベータ装置が考えられている（特許文献１参照）。
【特許文献１】特開平６−８０３４０号公報
【発明の開示】
【発明が解決しようとする課題】
【０００４】
ところで最近では、昇降路内に乗りかごを昇降させるための機構だけでなく、乗りかごを昇降させるための巻上機と、エレベータ装置を制御する主制御装置も昇降路内に収納した、いわゆる機械室レスエレベータ装置が導入されてきている。
【０００５】
しかしながら、従来のエレベータ装置では、乗りかご上に照明装置が設けられているだけであり、昇降路内に収納された巻上機や主制御装置に対して十分に照明を当てることができなかった。また、電源ケーブルにより接続された照明装置を設けて、巻上機や主制御装置の近くまで手動により持ち込み照明させることができるものの、そのハンドリングや移動操作が面倒であるため点検作業の効率を低下させると共に安全上の問題も生じてしまう。
【０００６】
本発明は、昇降路内に収納された巻上機と主制御装置とを含む点検作業を行う場合にも、簡単に安全かつ確実な点検作業が実施できるように照明することが可能なエレベータ装置、エレベータ装置の照明装置制御方法を提供することを目的とする。
【課題を解決するための手段】
【０００７】
請求項１記載の発明は、昇降路内に乗りかごを昇降させるための巻上機と主制御装置を収納したエレベータ装置において、点検作業の開始の指示を入力するための点検スイッチと、前記巻上機あるいは前記主制御装置の近傍に設置された点検用の照明装置と、前記照明装置を点灯させる指示を入力するための照明スイッチと、前記点検スイッチにより指示が入力され、かつ前記照明スイッチにより点灯が指示された場合に、前記照明装置を点灯させる照明制御手段とを具備したことを特徴とする。
【０００８】
請求項記載の発明は、請求項１記載の発明において、前記点検スイッチは、少なくとも前記乗りかご上に設けられることを特徴とする。
【０００９】
請求項３記載の発明は、昇降路内に乗りかごを昇降させるための巻上機と主制御装置を収納したエレベータ装置において、点検作業の開始の指示を入力するための点検スイッチと、前記乗りかご上に設けられた第１照明装置と、前記巻上機あるいは前記主制御装置の近傍に設置された点検用の第２照明装置と、前記点検スイッチにより指示が入力された場合に、前記第１照明装置を点灯させる第１照明制御手段と、前記乗りかごの位置が前記主制御装置または前記巻上機に対する点検作業をするための所定位置に到達したことを検出する位置検出手段と、前記点検スイッチにより指示が入力され、かつ前記位置検出手段により前記乗りかごが所定位置に到達したことが検出された場合に、前記第２照明装置を点灯させる第２照明制御手段とを具備したことを特徴とする。
【００１０】
請求項４記載の発明は、請求項３記載の発明において、前記第１照明装置と前記第２照明装置に対する主電源からの電源供給が遮断された場合に、前記主電源に代わり電源供給する照明装置非常用電源と、前記照明装置非常用電源に対して充電を行う充電回路とを具備したことを特徴とする。
【００１１】
請求項５記載の発明は、昇降路内に乗りかごを昇降させるための巻上機と主制御装置を収納したエレベータ装置の照明制御方法において、点検作業の開始の指示を入力するための点検スイッチと、前記巻上機あるいは前記主制御装置の近傍に設置された点検用の第１照明装置と、前記乗りかご上に設けられた第２照明装置とを設け、前記点検スイッチにより指示が入力された場合に、前記第２照明装置を点灯させ、前記点検スイッチにより指示が入力され、かつ前記乗りかごが前記主制御装置または前記巻上機に対する点検作業をするための所定位置に到達したことが検出された場合に、前記第１照明装置を点灯させることを特徴とする。
【発明の効果】
【００１２】
以上のように請求項１の発明によれば、昇降路内に乗りかごを昇降させるための巻上機と主制御装置を収納したエレベータ装置、すなわち機械室を不要とした機械室レスエレベータ装置において、昇降路内の巻上機あるいは主制御装置に対して照明することができる照明装置が設けられているため、簡単に安全かつ確実な点検作業を実施することができる。
【００１３】
請求項２の発明によれば、乗りかご上に設けられた点検スイッチに対する操作によって、昇降路内に収納された巻上機または主制御装置に対して照明装置から照明させることができる。
【００１４】
請求項３，５の発明によれば、昇降路内に乗りかごを昇降させるための巻上機と主制御装置を収納したエレベータ装置、すなわち機械室を不要とした機械室レスエレベータ装置において、乗りかご上での点検作業を実施する場合には乗りかご上に設けられた第１照明装置が利用され、そして乗りかごが主制御装置または巻上機に対する点検作業をするための位置に到達した場合にのみ昇降路内の巻上機あるいは主制御装置に対して照明することができる第２照明装置が利用できるようになるので、乗りかご上に設けられた第１照明装置に頼ることなく巻上機あるいは主制御装置に対して安全かつ確実な点検作業を実施できるようになるとともに、点検に不要な時には点灯させないことで省エネルギーを図ることができる。
【００１５】
請求項４の発明によれば、乗りかご上に設けられた第１照明装置と巻上機あるいは主制御装置の近傍に設置された第２照明装置に対して主電源からの電源供給が遮断された場合であっても、主電源に代わり照明装置非常用電源から電源供給されるので、主電源からの電源供給が遮断されるといった障害発生時においても昇降路内（乗りかご上）にいる点検作業者の安全を確保することができる。
【発明を実施するための最良の形態】
【００１６】
以下、図面を参照して本発明の実施の形態について説明する。
【００１７】
（第１実施形態）  
図１は、第１実施形態におけるエレベータ装置の構成を示す図である。図１に示すように、第１実施形態におけるエレベータ装置は、昇降路Ａ内に乗りかご１を昇降させるための巻上機２２とエレベータ装置全体の制御を司る主制御装置２０が収納された、昇降路Ａの外部に機械室を不要としたいわゆる機械室レスエレベータ装置として構成されている。機械室レスエレベータ装置は、災害などで、万一、昇降路Ａ内に水などが流れ込んだとしても、巻上機２２や主制御装置２０が直接水にさらされにくくするため昇降路Ａ内の上部（例えば最上部）に設置されている。
【００１８】
昇降路Ａ内に吊り下げられたエレベータの乗りかご１は、かご枠２と、このかご枠２の内側に設置されたかご室３とを備え、かご枠２の上梁にメインロープ４が取り付けられている。乗りかご１は、エレベータの運転時にその両側に設けられたガイドレール５に沿って上下方向に昇降される。
【００１９】
かご室３の上部は、かご室３やその周辺回り、また主制御装置２０や巻上機２２を点検する際に作業員が乗り込むための点検作業部となる。点検作業部には、足場となるかご上床８、体を支えるかご上手摺９が設けられている。また、作業員により点検作業のために操作されるかご上点検スイッチ１０、運転スイッチ１１（点検上昇運転スイッチ１１ａ、点検下降運転スイッチ１１ｂ）、巻上機点検用照明スイッチ１２が設けられている。
【００２０】
かご上点検スイッチ１０は、乗りかご１上にいる作業者の操作により（スイッチオン）、点検作業の開始の指示を入力するためのスイッチである。運転スイッチ１１は、点検作業時に乗りかご１を上昇あるいは下降させるためのスイッチであり、点検上昇運転スイッチ１１ａ、点検下降運転スイッチ１１ｂを含む。巻上機点検用照明スイッチ１２は、点検作業中に巻上機２２に対する点検作業をする際に、巻上機２２の近傍に設置された巻上機点検用照明装置２３を点灯させるためのスイッチである。なお、かご上点検スイッチ１０と同様の目的のためにかご内点検スイッチ１５も設けられている。かご内点検スイッチ１５は、作業者が点検作業のために乗りかご１の上部に乗り込む前に点検作業の開始の指示を入力する場合に用いられる。
【００２１】
乗りかご１の上面部には、かご上電源装置１３が設けられている。かご上電源装置１３は、かご上点検用ランプ１４の電源コードを接続することができる電源コンセントを有しており、かご上点検スイッチ１０またはかご内点検スイッチ１５がオンされ点検作業の開始の指示が入力されている場合に、電源コンセントに接続されたかご上点検用ランプ１４に電力を供給して点灯させる。かご上点検用ランプ１４は、常設されていても良いし、作業者が点検作業時にかご上電源装置１３に接続して使用できるようにしても良い。かご上点検用ランプ１４は、例えばフックなどが設けられており、ランプ掛けに掛けて使用することで点検作業部やその周辺回りを照明させたり、あるいは作業者が手に持って任意の場所を照明させたりすることができる。
【００２２】
昇降路Ａの上部に設置された主制御装置２０は、乗りかご１を昇降させるための通常運転制御の他、かご上点検スイッチ１０（かご内点検スイッチ１５）及び運転スイッチ１１に対する操作に応じた点検運転制御、また巻上機点検用照明スイッチ１２に対する操作に応じた巻上機点検用照明装置２３に対する点灯制御などを実行する。また、主制御装置２０には、照明装置を含む各部に対して電源供給する主電源と、この主電源による照明装置に対する電源供給が障害などにより遮断された場合に代替して電源供給する照明装置非常用電源２１が設けられている。照明装置非常用電源２１は、通常動作時に図示せぬ充電回路により充電され障害発生時に備えている。
【００２３】
巻上機２２は、主制御装置２０と同様に昇降路Ａの上部に設置されており、主制御装置２０の制御により乗りかご１を昇降させる。
【００２４】
巻上機２２の近傍には、巻上機点検用照明装置２３が設けられており、作業者による巻上機点検用照明スイッチ１２に対する操作に応じて、主制御装置２０の制御により点灯される。なお、巻上機点検用照明装置２３やかご上点検用ランプ１４は、白熱電球や蛍光灯などの他、直流電源で駆動できる冷陰極管や高輝度の白色ＬＥＤなどを使用することができる。冷陰極管や白色ＬＥＤにより照明装置を構成することで、照明装置の長寿命化が図れ、交換間隔を延長することができる。
【００２５】
図１に示す構成では主制御装置２０と巻上機２２とが近接して設置されているため、巻上機点検用照明装置２３を点灯させることにより主制御装置２０に対しても点検作業が十分に可能な程度に照明することができるものとする。
【００２６】
なお、主制御装置２０の近傍に照明装置を設けて、この照明装置の点灯により主制御装置２０と巻上機２２を照明するようにしても良いし、主制御装置２０と巻上機２２のそれぞれに対応して個別に照明装置を設けるようにしても良い。また、主制御装置２０の大きさによっては全体を十分に照明できるように、複数の照明装置を主制御装置２０の近傍（例えば上下左右など）に設置するようにしても良い。
【００２７】
図２は、第１実施形態における照明装置に対する点灯制御を実行する機能構成を示すブロック図である。
【００２８】
主制御装置２０は、かご上点検スイッチ１０（またはかご内点検スイッチ１５）がオンされて点検作業の開始の指示が入力された場合に、かご上電源装置１３に対して、かご上点検用ランプ１４へ電源供給されるように制御する。
【００２９】
また、主制御装置２０は、かご上点検スイッチ１０（かご内点検スイッチ１５）の操作により点検作業の開始が指示され（スイッチオン）、かつ巻上機点検用照明スイッチ１２の操作により巻上機点検用照明装置２３の点灯が指示された場合に（スイッチオン）、巻上機点検用照明装置２３を点灯させる。
【００３０】
また、主制御装置２０は、主電源からかご上電源装置１３及び巻上機点検用照明装置２３に対する電源供給が遮断された場合に、この主電源に代えて照明装置非常用電源２１から電源供給されるように制御する。
【００３１】
次に、第１実施形態における巻上機点検用照明装置２３に対する点灯制御について説明する。図３は、第１実施形態における巻上機点検用照明装置２３に対する点灯制御を説明するためのフローチャートである。
【００３２】
点検作業時においては、まずエレベータ制御盤（図示せず）を手動で操作し、乗りかご１を昇降させてかご室３をエレベータホールにおけるエレベータ出入口の近くに停止させる。そして出入口のドア装置（図示せず）を手動で開放し、その出入口を乗り込み口としてかご室３の上側の点検作業部内に作業員が乗り込む。
【００３３】
作業員によりかご上点検スイッチ１０が操作されて点検作業の開始が指示された場合に（ステップＡ１）、かご上電源装置１３に接続されたかご上点検用ランプ１４を点灯させることができる。なお、作業員が乗りかご１の点検作業部に乗り込む前にかご内点検スイッチ１５を操作しておくことで、予めかご上点検用ランプ１４を点灯させておき（常設されている場合）、点検作業部の周囲を明るくした状態で乗り込むこともできる（ステップＡ２）。この場合、乗り込む際の安全をより確実に確保することができる。
【００３４】
昇降路Ａの上部に設置された主制御装置２０と巻上機２２以外の部分についての点検作業をする場合には、かご上点検用ランプ１４からの照明を利用して実施することができる。
【００３５】
一方、主制御装置２０と巻上機２２に対する点検作業は、運転スイッチ１１（点検上昇運転スイッチ１１ａ）の操作により、点検作業部から主制御装置２０と巻上機２２に対して作業が可能な位置まで乗りかご１が上昇される。ここで、巻上機点検用照明スイッチ１２が作業者に操作されオンされると（ステップＡ３）、主制御装置２０は、巻上機点検用照明装置２３を点灯させる（ステップＡ４）。これにより、巻上機点検用照明装置２３からの照明により、巻上機２２及び主制御装置２０の周辺が明るくなり点検作業を容易に実施することができる。
【００３６】
なお、巻上機点検用照明スイッチ１２がオフされるか、あるいは点検作業が終了してかご上点検スイッチ１０またはかご内点検スイッチ１５がオフされた場合には、巻上機点検用照明装置２３も消灯させる（ステップＡ５）。
【００３７】
このようにして、第１実施形態のエレベータ装置では、昇降路Ａ内の上部に収納されている主制御装置２０または巻上機２２に対する点検作業をする場合には、巻上機２２の近傍に設置された巻上機点検用照明装置２３を、乗りかご１の上部で巻上機点検用照明スイッチ１２を操作することで点灯させることができる。
【００３８】
従って、かご上点検用ランプ１４からの照明に頼る必要がないので、かご上点検用ランプ１４を主制御装置２０などの近くで固定したり、手に持ちながら点検作業をするといった取り扱いを不要にすることで作業効率が向上される。
【００３９】
また、巻上機点検用照明装置２３は、かご上点検スイッチ１０（またはかご内点検スイッチ１５）がオン操作されている点検作業時にのみ点灯されるようになっているので、不要時に点灯されることで無駄な電力が消費されないようにしている。
【００４０】
ところで、主制御装置２０は、点検作業中に巻上機点検用照明装置２３とかご上点検用ランプ１４（かご上電源装置１３）への主電源からの電源供給が遮断された場合、主電源に代えて照明装置非常用電源２１から電源供給されるように切り替える。これにより、昇降路Ａ内の照明を常に確保して乗りかご１上にいる作業者の安全を確保することができる。
【００４１】
（第２実施形態）  
次に、本発明の第２実施形態について説明する。  
図４は、第２実施形態におけるエレベータ装置の構成を示す図である。図４に示すように、第２実施形態におけるエレベータ装置は、第１実施形態と同様にして、昇降路Ａ内に巻上機２２と主制御装置２０が収納された機械室レスエレベータ装置として構成されている。なお、図４において、第１実施形態の説明で用いた図１と同一の構成部分については同一符号を付して詳細な説明を省略する。
【００４２】
第２実施形態では、点検作業部の足場となるかご上床８に複数のかご上照明装置３０ａが上方（昇降路Ａ内）を照明するように設けられている。また、体を支えるかご上手摺９にも下方を照明するようにかご上照明装置３０ｂが設けられている。
【００４３】
また、第２実施形態では、主制御装置２０の近傍、例えば主制御装置２０の上部に主制御装置用照明装置３２ａが設けられ、主制御装置２０の下部に主制御装置用照明装置３２ｂが設けられている。主制御装置２０の上部に設けられた主制御装置用照明装置３２ａは、主制御装置２の上部から下部に向けて照明し、下部に設けられた主制御装置用照明装置３２ｂは、主制御装置２の下部から上部に向けて照明するようになっており、両者３２ａ，３２ｂを点灯した時に主制御装置２の全体の照度を確保できるようにしている。
【００４４】
主制御装置用照明装置３２（３２ａ，３２ｂ）は、主制御装置照明制御スイッチ３１の切り替えに応じて、主制御装置２０の制御により点灯される。なお、かご上照明装置３０（３０ａ，３０ｂ）や主制御装置用照明装置３２（３２ａ，３２ｂ）は、白熱電球や蛍光灯などの他、直流電源で駆動できる冷陰極管や高輝度の白色ＬＥＤなどを使用することができる。冷陰極管や白色ＬＥＤにより照明装置を構成することで、照明装置の長寿命化が図れ、交換間隔を延長することができる。
【００４５】
主制御装置照明制御スイッチ３１は、点検作業中に主制御装置２０あるいは巻上機２２に対する点検作業が可能な位置まで乗りかご１が上昇されたことを検出するためのスイッチである。主制御装置照明制御スイッチ３１は、例えば乗りかご１に接することにより通電する機械式スイッチや、乗りかご１（乗りかご１に取り付けられた遮蔽版など）が光を遮ることにより通電するスイッチなどにより構成することができる。主制御装置照明制御スイッチ３１は、乗りかご１が到達することによりオンされるこれを主制御装置２０に通知する。
【００４６】
なお、図４に示す構成では主制御装置２０と巻上機２２とが近接して設置されているため、主制御装置２０の上部に設けられた主制御装置用照明装置３２ａを点灯させることにより巻上機２２に対しても点検作業が十分に可能な程度に照明することができるものとする。
【００４７】
なお、第１実施形態と同様にして巻上機２２の近傍に照明装置を設けて、この照明装置の点灯により主制御装置２０と巻上機２２を照明するようにしても良いし、主制御装置２０と巻上機２２のそれぞれに対応して個別に照明装置を設けるようにしても良い。また、主制御装置２０の大きさによっては全体を十分に照明できるように、図４に示すように上下位置だけでなく、より多くの複数の照明装置を主制御装置２０の近傍に設置するようにしても良い。
【００４８】
次に、第２実施形態におけるかご上照明装置３０と主制御装置用照明装置３２に対する点灯制御について説明する。
【００４９】
図５は、図４における照明装置３０，３２の点灯制御に関係する制御回路、図６、第２実施形態における点灯制御を説明するためのフローチャートである。
【００５０】
図５に示す制御回路は、エレベータの運転回路を通常運転と点検運転に切り替えるための点検スイッチ（かご上点検スイッチ１０またはかご内点検スイッチ１５）、通常のエレベータ運行時に動作する通常運転回路４０、点検作業時に動作する点検運転回路４１、点検上昇運転時に操作される点検上昇運転スイッチ１１ａ、点検下降運転時に操作される点検下降運転スイッチ１１ｂ、運転スイッチ１１の操作により通電される方向性指令リレー４２とを備え、方向性指令リレー４２に通電されることにより乗りかご１は上昇あるいは下降される。
【００５１】
通常のエレベータ運行時は、かご上点検スイッチ１０（及びかご内点検スイッチ１５）が通常運転回路４０側に接続されており、方向性指令リレー４２は通電され通常のエレベータ運転がなされる。
【００５２】
ここで、昇降路Ａ内の点検作業をするために作業者により、かご上点検スイッチ１０（またはかご内点検スイッチ１５）が点検運転回路４１側に接続されたものとする（ステップＢ１、Ｙｅｓ）。
【００５３】
乗りかご１が昇降行程の中程に位置し、点検運転回路４１まで回路が通じた状態で、かご上照明リレー４３は通電され（ステップＢ４）、かご上照明リレースイッチ４５が閉じ（ステップＢ５）、これによりかご上照明装置３０（３０ａ，３０ｂ）が点灯される。
【００５４】
点検下降運転スイッチ１１ｂを閉じた場合（ステップＢ７）、方向性指令リレー４２は通電され乗りかご１は下降運転される（ステップＢ１０）。この下降運転は、点検下降運転スイッチ１１ｂを開くまで継続する。同様に、点検上昇運転スイッチ１１ａを閉じた場合（ステップＢ８、Ｙｅｓ）、方向性指令リレー４２は通電され乗りかご１は上昇運転される（ステップＢ９）。この上昇運転は、点検上昇運転スイッチ１１ａを開くまで継続される。
【００５５】
次に、乗りかご１が点検作業中に点検上昇運転スイッチ１１ａの操作により主制御装置照明制御スイッチ３１が設けられた位置、すなわち主制御装置２０及び巻上機２２に対する作業が可能な位置まで移動された場合について説明する。
【００５６】
前述と同様にして、点検運転回路４１まで回路が通じた状態で、点検上昇運転スイッチ１１ａを閉じた場合、方向性指令リレー４２は通電されエレベータは点検上昇運転する。このとき、乗りかご１が主制御装置照明制御スイッチ３１を閉じる（オン）ことで（ステップＢ１１、Ｙｅｓ）、主制御装置照明リレースイッチ４４が閉じ（ステップＢ１２）、主制御装置用照明装置３２（３２ａ，３２ｂ）が点灯される（ステップＢ１３）。これにより、主制御装置用照明装置３２が設けられた位置よりも上部で乗りかご１を昇降させながら点検作業を行っている間は、主制御装置用照明装置３２からの照明により作業をすることができる。
【００５７】
従って、主制御装置２０あるいは巻上機２２の設置位置までかご上照明装置３０ａからの照明が十分に届かない場合でも、第１実施形態のようなかご上点検用ランプ１４などを用いる必要もなく作業効率が向上される。
【００５８】
一方、主制御装置２０あるいは巻上機２２に対する点検作業が終了し、点検下降運転スイッチ１１ｂに対する操作により乗りかご１が下降運転され、乗りかご１が主制御装置照明制御スイッチ３１を開放（オフ）すると（ステップＢ１１、Ｎｏ）、主制御装置照明リレースイッチ４４が開き（ステップＢ１４）、主制御装置用照明装置３２（３２ａ，３２ｂ）が消灯される（ステップＢ１５）。
【００５９】
このようにして、第２実施形態におけるエレベータ装置では、乗りかご１上にかご上照明装置３０（３０ａ，３０ｂ）、昇降路Ａに収納された主制御装置２０の上部と下部に主制御装置用照明装置３２（３２ａ，３２ｂ）を設置し、点検作業時に操作されるかご上点検スイッチ１０と連動して、かご上照明装置３０を点灯させ、また点検運転時に乗りかご１を主制御装置２０または巻上機２２を点検作業するための位置まで乗りかご１が上昇され主制御装置照明制御スイッチ３１がオンされることで主制御装置用照明装置３２を点灯させることができる。従って、点検作業時に作業員が照明装置の設置と操作が不要となり作業効率の向上ができ、作業員の安全性を確保することができる。
【００６０】
また、主制御装置用照明装置３２は、昇降路Ａ内の上部に設置された主制御装置２０または巻上機２２に対する点検作業をする際の照明を目的としているため、通常運転時は点灯させることはなく、また乗りかご１が点検作業が行われる位置（主制御装置照明制御スイッチ３１の設置位置）まで移動された場合のみ点灯させることで無駄な点灯がされないようにして省電力化を図っている。
【００６１】
なお、前述した説明では、乗りかご１が上昇されることで主制御装置照明制御スイッチ３１がオンされた場合に、主制御装置用照明装置３２を点灯させるとしているが、主制御装置照明制御スイッチ３１がオンされてから所定時間（例えば数秒間）が経過した場合に点灯するように制御しても良い。すなわち、主制御装置２０または巻上機２２に対する点検作業のために、乗りかご１が主制御装置照明制御スイッチ３１よりも上部で停止されてしばらくしてから点検作業を開始するまでの例えば数秒間のうちに点灯させる。これにより、主制御装置照明制御スイッチ３１がオンされたとしても主制御装置２０または巻上機２２に対する点検作業のためでなく、一時的に乗りかご１が上部まで移動されただけの場合には主制御装置用照明装置３２を点灯させないようにできる。従って、主制御装置照明制御スイッチ３１が設けられた位置まで乗りかご１が上昇／下降が繰り返されたとしても、その都度、主制御装置用照明装置３２の点灯／消灯が繰り返されることがなく、また不要な時に点灯させないことで省電力化を図ることができる。
【００６２】
次に、主制御装置２０に設けられた照明装置非常用電源２１について説明する。
【００６３】
かご上照明装置３０と主制御装置用照明装置３２に主電源から電源供給されている場合、照明装置非常用電源２１は充電回路４７により充電される。ここで、かご上照明装置３０と主制御装置用照明装置３２に対する電源供給が遮断された場合、主電源に代えて照明装置非常用電源２１から電源供給されるように切り替える。これにより、かご上照明装置３０と主制御装置用照明装置３２は、照明装置非常用電源２１からの電源供給により通電され点灯する。
【００６４】
こうして、点検作業時に主電源からの電源供給が遮断された場合であっても、照明装置非常用電源２１によって、かご上照明装置３０及び主制御装置用照明装置３２の点灯を継続することが可能となるため、昇降路Ａ内の照明を確保でき、作業員の安全性が確保できる。
【００６５】
なお、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６６】
【図１】本発明の第１実施形態におけるエレベータ装置の構成を示す図。
【図２】第１実施形態における照明装置に対する点灯制御を実行する機能構成を示すブロック図。
【図３】第１実施形態における巻上機点検用照明装置２３に対する点灯制御を説明するためのフローチャート。
【図４】第２実施形態におけるエレベータ装置の構成を示す図。
【図５】第２実施形態における図４における照明装置３０，３２の点灯制御に関係する制御回路。
【図６】第２実施形態における点灯制御を説明するためのフローチャート。
【符号の説明】
【００６７】
Ａ…昇降路、１…乗りかご、２…かご枠、３…かご室、４…メインロープ、５…ガイドレール、８…かご上床、９…かご上手摺、１０…かご上点検スイッチ、１１…運転スイッチ、１１ａ…点検上昇運転スイッチ、１１ｂ…点検下降運転スイッチ、１２…巻上機点検用照明スイッチ、１３…かご上電源装置、１４…かご上点検用ランプ、２０…主制御装置、２１…照明装置非常用電源、２２…巻上機、２３…巻上機点検用照明装置、３０（３０ａ，３０ｂ）…かご上照明装置、３１…主制御装置照明制御スイッチ、３２（３２ａ，３２ｂ）…主制御装置用照明装置、４０…通常運転回路、４１…点検運転回路、４２…方向性指令リレー、４３…かご上照明リレー、４４…主制御装置照明リレースイッチ、４５…かご上照明リレースイッチ、４６…主制御装置照明リレー、４７…充電回路。
【図１】
2006264821.tif 000003
【図２】
2006264821.tif 000004
【図３】
2006264821.tif 000005
【図４】
2006264821.tif 000006
【図５】
2006264821.tif 000007
【図６】
2006264821.tif 000008